(57)【要約】【課題】分子に関する情報を広範囲に得ることができるにもかかわらず、入力が簡素化されていることにより誰でもが手軽に所望の分子情報を得ることができる分子情報提供システムを提供する。【解決手段】端末１と、統括部１０と、分子情報生成部２０と、生成部データベース部３０とを備え、統括部１０が端末１からの要求仕様にマッチした演算ソフト名を抽出し、その演算ソフトの実行に必要な入力データの入力を要求する入力用ファイルを作成して端末１に提供し、端末１から返信される所定事項が記入された入力済ファイルに基づいて所望の分子情報を分子情報生成部２０に生成させるものである。【選択図】図１
2008234284.tif 000002
【特許請求の範囲】
【請求項１】
端末と、統括部と、分子情報生成部と、生成部データベース部とを備え、
前記統括部が前記端末からの要求仕様にマッチした演算ソフト名を抽出し、その演算ソフトの実行に必要な入力データの入力を要求する入力用ファイルを作成して当該端末に提供し、同端末から返信される所定事項が記入された入力済ファイルに基づいて、実行要求ファイルを作成して前記分子情報生成部に入力し、当該分子情報生成部が実行要求ファイルに基づいて前記生成部データベース部に蓄積されているデータベースを参照しながら所定の分子情報を生成して前記統括部に出力し、同統括部がその結果に基づいて実行結果ファイルを作成し、ついで前記端末が処理可能な形式で出力ファイルを作成して同端末に出力するものとされてなることを特徴とする分子情報提供システム。
【請求項２】
統括部が、入出力処理部と、中継処理部と、統括部データベース部と、通信部と、制御・管理部とを備えてなることを特徴とする請求項１記載の分子情報提供システム。
【請求項３】
入出力処理部が、入力ファイル作成手段と、出力ファイル作成手段とを有してなることを特徴とする請求項２記載の分子情報提供システム。
【請求項４】
中継処理部が、実行要求ファイル作成手段と、実行結果ファイル作成手段とを有してなることを特徴とする請求項２記載の分子情報提供システム。
【発明の詳細な説明】
【技術分野】
【０００１】
本発明は分子情報提供システムに関する。さらに詳しくは、入力が簡素化されてなる分子情報提供システムに関する。
【背景技術】
【０００２】
近時、産業構造の高度化や生命工学の進展などから、分子に関する種々の情報を得る必要性が増大してきている。
【０００３】
かかる状況に対応すべく、特許文献１には、図５に示すように、端末機１０１と、情報提供サーバ１０２と、両者間を接続する通信回線１０３とを備えてなる分子構造情報提供システム１００が提案されている。
【０００４】
また、非特許文献１には、物性値を指定すると、データベースの中からそれに該当する分子が検索できるシステムが提案されている。
【０００５】
しかしながら、特許文献１の提案に係るシステム１００においては、得られる情報が分子構造に限定され、分子に関し広範囲に情報を得ることができないという問題がある。
【０００６】
また、非特許文献１の提案に係るシステムにおいては、当然のことながらテータベースに蓄積されていない分子に関する情報を得ることができないという問題がある。
【特許文献１】特開２００３−２５６６６８号公報
【非特許文献１】分子物性推算データベース：ＣＰＤＢ（J. Comput. Chem. Jpn., Vol.5, No. 1, pp23-28(2006)）
【発明の開示】
【発明が解決しようとする課題】
【０００７】
本発明はかかる従来技術の課題に鑑みなされたものであって、分子に関する情報を広範囲に得ることができるにもかかわらず、入力が簡素化されていることにより誰でもが手軽に所望の分子情報を得ることができる分子情報提供システムを提供することを目的としている。
【課題を解決するための手段】
【０００８】
本発明の分子情報提供システムは、端末と、統括部と、分子情報生成部と、生成部データベース部とを備え、前記統括部が前記端末からの要求仕様にマッチした演算ソフト名を抽出し、その演算ソフトの実行に必要な入力データの入力を要求する入力用ファイルを作成して当該端末に提供し、同端末から返信される所定事項が記入された入力済ファイルに基づいて、実行要求ファイルを作成して前記分子情報生成部に入力し、当該分子情報生成部が実行要求ファイルに基づいて前記生成部データベース部に蓄積されているデータベースを参照しながら所定の分子情報を生成して前記統括部に出力し、同統括部がその結果に基づいて実行結果ファイルを作成し、ついで前記端末が処理可能な形式で出力ファイルを作成して同端末に出力するものとされてなることを特徴とする。
【０００９】
本発明の分子情報提供システムにおいては、統括部が、入出力処理部と、中継処理部と、統括部データベース部と、通信部と、制御・管理部とを備えてなるものとされる。
【００１０】
また、本発明の分子情報提供システムにおいては、入出力処理部が、入力ファイル作成手段と、出力ファイル作成手段とを有し、中継処理部が、実行要求ファイル作成手段と、実行結果ファイル作成手段とを有してなるものとされる。
【発明の効果】
【００１１】
本発明によれば、入力が簡素化されていることにより誰でもが手軽に所望の分子情報を得ることができるという優れた効果が得られる。
【発明を実施するための最良の形態】
【００１２】
以下、添付図面を参照しながら本発明を実施形態に基づいて説明するが、本発明はかかる実施形態のみに限定されるものではない。
【００１３】
本発明の一実施形態に係る分子情報提供システム（以下、単にシステムという）を図１に概略ブロック図で示す。
【００１４】
システムＳは、図１に示すように、端末１と、統括部１０と、分子情報生成部２０と、生成部データベース部３０とを主要構成要素として備え、統括部１０が端末１からの要求仕様にマッチした演算ソフト（アプリケーション・ソフト）名を抽出し、その演算ソフトの実行に必要な入力データの入力を要求する入力ファイル（以下、入力用ファイルという）を作成して端末１に提供し、端末１から返信される所定事項が記入された入力ファイル（入力済ファイル）に基づいて、演算ソフトが実行可能な形式の入力ファイル、つまり実行要求ファイルを作成して分子情報生成部２０に入力し、分子情報生成部２０が実行要求ファイルに基づいて生成部データベース部３０に蓄積されているデータベースを参照しながら所定の分子情報を生成して統括部１０に出力し、統括部１０がその結果に基づいて実行結果ファイルを作成し、ついで端末１が処理可能な形式で出力ファイルを作成して端末１に出力するものとされる。
【００１５】
なお、図示例では端末１、分子情報生成部２０および生成部データベース部３０はそれぞれ一基とされているが、端末、分子情報生成部２０および生成部データベース部３０の数は適宜とされてもよい。
【００１６】
ここで、端末１と統括部１０とは通信回線Ｎ１により接続され、統括部１０と分子情報生成部２０および生成部データベース部３０とは通信回線Ｎ２，Ｎ３により接続され、また分子情報生成部２０と生成部データベース部３０とは通信回線Ｎ４により接続されている。なお、通信回線Ｎ１，Ｎ２，Ｎ３，Ｎ４は、専用回線やインターネットとすることができる。
【００１７】
端末１は、例えば、通信機能を有し、入力ファイルおよび出力ファイルの処理がなし得るようにされてなるパソコンとされる。
【００１８】
ここで、端末１がインターネットにより統括部１０との通信をなす場合には、Ｊａｖａアプレット(登録商標)により入力ファイルおよび出力ファイルの処理をなすようにされるのが好ましい。
【００１９】
統括部２０は、図２に示すように、端末１との入出力の処理をなす入出力処理部１１と、分子情報生成部２０との中継処理をなす中継処理部１２と、統括部データベース部１３と、通信部１４と、入出力処理部１１、中継処理部１２、統括部データベース部１３、通信部１４、分子情報生成部２０および生成部データベース部３０の制御および管理をなす制御・管理部１５とを含むものとされる。
【００２０】
ここで、統括部１０は、具体的には、後述する各部の機能を実現するようプログラムされた通信機能を有するコンピュータとされる。
【００２１】
入出力処理部１１は、図３に示すように、入力ファイル作成手段４１と、出力ファイル作成手段４２とを備えてなるものとされる。
【００２２】
入力ファイル作成手段４１は、統括部データベース部１３に格納されているデータベースを参照しながら、端末１から要求された仕様（例えば、フロン代替物質の抽出）にマッチした演算ソフト名を抽出し、その演算ソフトの実行に要求されるデータを記載させるためのファイル、つまり入力用ファイルを当該端末１で処理可能な形式にて作成して同端末１に通信部１４を介して出力するとともに、同端末１からの入力済ファイルを中継処理部１２に出力するものとされる。
【００２３】
入力ファイル作成手段４１を設けることにより、端末１側で煩雑な入力用ファイルを作成する必要がなくなり、利用者の負担軽減が図られる。
【００２４】
出力ファイル作成手段４２は、統括部データベース部１３に格納されているデータベースを参照しながら、中継処理部１２から入力される実行結果ファイルに基づいて分子情報の生成を依頼してきた端末１で処理可能な形式にて出力ファイル（例えば、フロン代替物質のリストおよびそれらの性状等のリストを含むファイル）を作成して当該端末１に通信部１４を介して出力するものとされる。
【００２５】
出力ファイル作成手段４２を設けることにより、端末１側で特段の処理をすることなく出力ファイルを開くことができるので、所望した情報を迅速に得ることができる。
【００２６】
なお、かかる機能を有する入力ファイル作成手段４１および出力ファイル作成手段４２を実現するアプリケーション・ソフトとしては、例えばＭｏｌＷｏｒｋｓ（（株）ベストシステムズ製）があげられる。
【００２７】
中継処理部１２は、図４に示すように、実行要求ファイル作成手段４６と、実行結果ファイル作成手段４７とを備えてなるものとされる。
【００２８】
実行要求ファイル作成手段４６は、統括部データベース部１３に格納されているデータベースを参照しながら、入出力処理部１１から入力される入力済ファイルに基づいて、所望の演算ソフトが実行可能な形式にて実行要求ファイルを作成するものとされる。つまり、分子情報生成部２０の該当する演算ソフト（例えば、代替物質抽出ソフト）に適合した形式にてファイルを作成するものとされる。
【００２９】
実行要求ファイル作成手段４６を設けることにより、利用者が様々な演算ソフトが利用できるようになり利便性が向上する。
【００３０】
実行結果ファイル作成手段４７は、統括部データベース部１３に格納されているデータベースを参照しながら、分子情報生成部２０から入力される演算結果、例えばフロン代替物質のリストおよびそれらの性状等のリストに基づいて実行結果ファイルを作成するものとされる。
【００３１】
また、実行要求ファイル作成手段４６および実行結果ファイル作成手段４７を設けることにより、分子情報生成部２０の入出力側に特段の改変を行う必要がないので、種々の演算資源、すなわち種々の形式のコンピュータが利用可能となる。
【００３２】
なお、かかる機能を有する実行要求ファイル作成手段４６および実行結果ファイル作成手段４７を実現するアプリケーション・ソフトとしては、例えばＭｏｌＷｏｒｋｓ（（株）ベストシステムズ製）があげられる。
【００３３】
制御・管理部１５は、入出力処理部１１および中継処理部１２の処理状況、ならびに各分子情報生成部２０および各生成部データベース部３０の負荷を監視し、最適な分子情報生成部２０および生成部データベース部３０を抽出し、その抽出した分子情報生成部２０および生成部データベース部３０に要求された演算処理つまり分子情報生成を実行させる機能を有するものとされる。
【００３４】
なお、かかる機能を実現するアプリケーション・ソフトとしては、例えばＣｏｎｄｏｒ（（株）ベストシステムズ製）があげられる。
【００３５】
以上、本発明を実施形態に基づいて説明してきたが、本発明はかかる実施形態のみに限定されるものではなく、種々改変が可能である。例えば、依頼されて得られた分子情報を生成部データベース部３０にデータベースとして蓄積することにより、より迅速な対応が可能となる。
【産業上の利用可能性】
【００３６】
本発明は、分子設計などの支援に適用できる。
【図面の簡単な説明】
【００３７】
【図１】本発明の一実施形態に係る分子情報提供システムの概略ブロック図である。
【図２】同システムの統括部の詳細ブロック図である。
【図３】同システムの入出力処理部の詳細ブロック図である。
【図４】同システムの中継処理部の詳細ブロック図である。
【図５】特許文献１の提案に係るシステムの概略ブロック図である。
【符号の説明】
【００３８】
１      端末
１０      統括部
１１      入出力処理部
１２      中継処理部
１３      統括部データベース部
１４      通信部
１５      制御・管理部
２０      分子情報生成部
３０      生成部データベース部
４１      入力ファイル作成手段
４２      出力ファイル作成手段
４６      実行要求ファイル作成手段
４７      実行結果ファイル作成手段
Ｓ      分子情報提供システム
Ｎ      通信回線
【図１】
2008234284.tif 000003
【図２】
2008234284.tif 000004
【図３】
2008234284.tif 000005
【図４】
2008234284.tif 000006
【図５】
2008234284.tif 000007